(57)【要約】      （修正有）【課題】アンテナ素子の相関を可能な限り低減して、アンテナ素子の最適化を実施可能な低相関の内蔵型マルチアンテナからなる移動体端末アンテナ装置を提供する。【解決手段】複数の逆Ｌ型のアンテナ素子１０，１１を有し、これらアンテナ素子１０，１１の折り曲げ部分の終端を、同一線Ａ上でかつ互いに逆向きに配置する。逆向きに配置することで、アンテナ素子の間隔を変化させた場合の相関係数を低減することができる。これによってアンテナ素子の干渉を抑える。【選択図】図１
2012085034.tif 000002
【特許請求の範囲】
【請求項１】
複数の逆Ｌ型のアンテナ素子を有し、該アンテナ素子の折り曲げ部分の終端が、同一線上でかつ逆向きに配置されていることを特徴とする移動体端末アンテナ装置。
【請求項２】
前記各アンテナ素子の基端部がそれぞれの給電点に接続されることを特徴とする請求項１に記載の移動体端末アンテナ装置。
【請求項３】
前記アンテナ素子は、折り曲げ部分が直角の逆Ｌ字型とされることを特徴とする請求項１又は２のいずれか1項に記載の移動体端末アンテナ装置。
【請求項４】
前記アンテナ素子が３つ以上であり、当該アンテナ素子の折り曲げ部分の終端を同一線上に位置させるとともに、これら折り曲げ部分の終端が、一つずつ互い違いになるように逆向きに配置された請求項１から請求項３の何れか一項に記載の移動体端末アンテナ装置。
【発明の詳細な説明】
【技術分野】
【０００１】
本発明は、移動体端末（携帯電話及び、ノートＰＣなど）に適用される低相関内蔵型マルチアンテナ装置に関する。
【背景技術】
【０００２】
近年、携帯電話のアンテナは、高速通信を可能とするために、ダイバーシティ方式やＭＩＭＯ方式など多種多様な形態がある。
これらアンテナの性能を表す指標として相関係数（ここでは、ｘ−ｙ面を指す）があり、低相関（相関係数:０.５以下）である必要がある。更には、アンテナの種類として、小型化された内蔵型のアンテナが数多く知られており、内蔵型アンテナとして、Ｌ型素子が採用されている。
【０００３】
そして、このような内蔵型アンテナに関して、以下の特許文献１〜４に示される技術が知られている。
特許文献１に示される携帯通信端末では、筐体の第１部分と第２部分とを連結部によって開閉自在に連結し、第１部分と第２部分とを閉じて折り畳んだ不使用姿勢と、第１部分と第２部分とを開いた使用姿勢とをとり得るように構成してなり、第１部分に第１アンテナを収納し、第２部分に第１アンテナと偏波面が異なる第２アンテナを収納し、第１部分と第２部分とを開く使用姿勢をとる際、第１アンテナと第２アンテナとが離間することによって、アンテナ同士の干渉を抑制して、アンテナそのものが持つ特性を十分に発揮させるものである。
【０００４】
特許文献２に示される携帯無線機用アンテナでは、線状Ｌ型のアンテナ素子と板状Ｌ型のアンテナ素子とを有し、これらアンテナ素子によって、各々の周波数帯域が広帯域で、かつ２つ以上の周波数帯域で共振する多周波アンテナを実現できるものである。
【０００５】
特許文献３に示される無線装置では、第１アンテナ（アンテナＡ）と第２アンテナ（アンテナＢ）の間に可変結合器を配置し、第１アンテナと第２アンテナ間の可変結合器の結合量が、受信時には増加し、送信時には減少するよう結合制御装置によって制御する。送信時に第１アンテナと第２アンテナの間の結合量を減少させることで、第１アンテナ及び第２アンテナが互いの送信信号を吸収することを防ぎ、送信時の消費電力の増加を抑える。受信時に第１アンテナと第２アンテナの間の結合量を増加させることで、各無線高周波部で処理する受信信号の信号レベル差を小さくして自動利得制御装置の制御を容易にする。
【０００６】
特許文献４に示されるアンテナでは、Ｌ字状に形成された第１アンテナ・エレメント及び第２アンテナ・エレメントを含み、これら第１アンテナ・エレメント及び第２アンテナ・エレメントは、第１周波数帯域及び第２周波数帯域における信号を送信及び受信するように構成されている。
【先行技術文献】
【特許文献】
【０００７】
【特許文献１】特開２００１−２３０６１４号公報
【特許文献２】特開２００４−４０５９６号公報
【特許文献３】特開２００７−１２４５８１号公報
【特許文献４】特表２００９−５３３９５７号公報
【発明の概要】
【発明が解決しようとする課題】
【０００８】
ところで、上記特許文献１〜４に示される技術では、マルチアンテナを形成する場合、アンテナ素子の配置が特性に大きく影響する。このため、これらアンテナ素子の相関を可能な限り低減して、アンテナ素子の最適化を実施する必要があるが、先の引用文献１〜４では、アンテナ素子の干渉により未だ相関係数が高く、この点について新たな技術の提供が望まれていた。
【０００９】
本発明は、上述した事情に鑑みてなされたものであって、アンテナ素子の相関を可能な限り低減して、アンテナ素子の最適化を実施可能な低相関の内蔵型マルチアンテナからなる移動体端末アンテナ装置を提供する。
【課題を解決するための手段】
【００１０】
上記課題を解決するために、この発明は以下の手段を提案している。すなわち、本発明では、複数の逆Ｌ型のアンテナ素子を有し、該アンテナ素子の折り曲げ部分の終端が、同一線上でかつ逆向きに配置されていることを特徴とする。
【発明の効果】
【００１１】
本発明によれば、複数の逆Ｌ型のアンテナ素子を有し、該アンテナ素子の折り曲げ部分の終端を、同一線上でかつ互いに逆向きに配置することで、アンテナ素子の折り曲げ部分の終端が同一方向に配置されたアンテナ装置と比較して、アンテナ素子間隔を変化させた場合の相関係数を低減することができる。これによってアンテナ素子の干渉を抑え、アンテナ性能の最適化を実施することが可能となる。
【図面の簡単な説明】
【００１２】
【図１】本発明の一実施形態に係るアンテナ装置を示す概略構成図である。
【図２】本発明の一実施形態に係るアンテナ装置と、比較例として示したアンテナ装置との相関係数の測定結果を示すグラフである。
【図３】比較例として示したアンテナ装置を示す概略構成図である。
【発明を実施するための形態】
【００１３】
本発明の一実施形態について、図１〜図３を参照して説明する。
図１は、本発明の一実施形態に係る、３.５Ｇ用マルチアンテナに適用される移動体端末アンテナ装置であって、この図において符号１で示されるものは基板である。この基板１上の接地点（給電点）２，３にはそれぞれアンテナ素子１０，１１が配置されている。
【００１４】
前記基板１内には、アンテナ素子１０，１１を経由した送受信信号を処理する無線回路（図示略）が設けられている。この無線回路は、前記接地点２，３を経由してアンテナ素子１０，１１に電力を供給する給電線、アンテナ素子１０，１１を介してデータの通信を行うデータ送受信回路などを備えている。
また、前記基板１は、アンテナ素子１０及びアンテナ素子１１の接地板としても機能する。
【００１５】
前記アンテナ素子１０，１１は、内蔵型での使用を想定して、逆Ｌ型で構成されている。これらアンテナ素子１０，１１は、折り曲げ部分が直角の逆Ｌ字型とされ、上部に位置する折り曲げ部分の終端（符号ａ，ｂで示す）が、符号Ａで示す同一線上で、かつ逆向きに配置されている。
【００１６】
次に、図２を参照して、逆Ｌ字型のアンテナ素子１０，１１の動作について説明する。
図２は、横軸をアンテナ素子１０，１１の素子間隔、縦軸を相関係数としたグラフであって、測定結果（ア）は本発明に係る逆Ｌ字型のアンテナ素子１０，１１を備えるアンテナ装置であり、また、測定結果（イ）は、図３に示すように、比較例として示したアンテナ素子２０，２１の終端（符号ａ，ｂ´で示す）が同一線Ａ上でかつ同じ向きに配置されているアンテナ装置である。
【００１７】
ここで、上述した測定では、設計周波数ｆ０を３.７ＧＨｚとして、アンテナ素子１０，１１からなる２素子の素子間隔をｘ−ｙ面上で変化させた場合の相関係数を計測している。
そして、このような素子間隔の変化により、相関係数は周期的に変化するが、ここで両者の測定結果（ア）及び（イ）を比較した場合、アンテナ素子１０，１１の折り曲げ部分の終端（符号ａ，ｂで示す）が互いに逆向きの本発明に係るアンテナ装置（測定結果（ア））の方が、アンテナ素子２０，２１の折り曲げ部分の終端（符号ａ，ｂ´で示す）が同一の比較例に係るアンテナ装置（測定結果（イ））よりも相関係数が低減されていることが分かる。
また、測定した２素子の素子間隔において、ほとんどの範囲において、本発明に係るアンテナ装置（測定結果（ア））の方が、比較例に係るアンテナ装置（測定結果（イ））よりも広範囲に低相関となることが明らかになった。
【００１８】
以上詳細に説明したように本実施形態に係るアンテナ装置では、複数の逆Ｌ型のアンテナ素子１０，１１を有し、該アンテナ素子１０，１１の折り曲げ部分の終端を、同一線Ａ上でかつ互いに逆向きに配置することで、アンテナ素子１０，１１の折り曲げ部分の終端（符号ａ，ｂ´で示す）が同一方向に配置された比較例のアンテナ装置と比較して、アンテナ素子１０，１１間隔を変化させた場合の相関係数を低減することができる。これによってアンテナ素子１０，１１同士の干渉を抑え、アンテナ性能の最適化を実施することが可能となる。
【００１９】
なお、上述した実施形態では、２つのアンテナ素子１０，１１を用いた場合の例について説明したが、アンテナ素子の数は２つに限定されない。例えば、３つ以上のアンテナ素子を使用する場合には、これらアンテナ素子の折り曲げ部分の終端（符号ａ，ｂで示す）を同一線Ａ上に位置させるとともに、これら折り曲げ部分の終端が、一つずつ互い違いになるように逆向きに配置すると良い。
【００２０】
以上のように本発明のアンテナ装置について実施形態を示して説明したが、本願発明はこの実施形態に限定されるものではなく、その技術思想を逸脱しない範囲で種々変更して実施することが可能であることは言うまでもない。
【産業上の利用可能性】
【００２１】
本発明は、移動体端末（携帯電話及び、ノートＰＣなど）に適用される低相関内蔵型マルチアンテナ装置に関する。
【符号の説明】
【００２２】
１  基板
２  接地点（給電点）
３  接地点（給電点）
１０  アンテナ素子
１１  アンテナ素子
ａ  アンテナ素子の折り曲げ部分の終端
ｂ  アンテナ素子の折り曲げ部分の終端
【図１】
2012085034.tif 000003
【図２】
2012085034.tif 000004
【図３】
2012085034.tif 000005